(57)【要約】【課題】本考案は、装飾用に使用される動物形状を模した揺動可能な灯具（発光体）に関するものである。【解決手段】動物形状を模した灯具１と、該灯具１を支持部材３０を介して揺動可能に支持する座体２と、前記座体２に支持された灯具１を揺動部材１２を介して揺動するモータ３とを備え、前記座体２の上端に連結される連結部材３０には、前記灯具１を支持する支持リング１１が設けられると共に、一端が前記モータ３の回転軸と連結され、他端が前記灯具１の活動点と連接するように配設された揺動部材１２を備えた構成とした。【選択図】　　図１
0003097860.tif 000002
【実用新案登録請求の範囲】
【請求項１】
動物形状を模した灯具と、該灯具を支持部材を介して揺動可能に支持する座体と、前記座体に支持された灯具を揺動部材を介して揺動するモータとを備えたことを特徴とする動物形状を模した揺動可能な灯具。
【請求項２】
前記座体２の上端に連結される支持部材３０には、前記灯具１を揺動可能に支持する支持リング１１が設けられると共に、一端が前記モータ３の回転軸と連結され、他端が前記灯具１の活動点と接触するように配設された揺動部材を備えていることを特徴とする請求項１に記載の動物形状を模した揺動可能な灯具。
【請求項３】
前記座体２の上端に連結される支持部材３０の上端部には、前記灯具１を取付ける取付パイプ１１０が設けられると共に、上端部が前記取付パイプ１１０に固着された摺動溝１２０を有する楕円リング形状の揺動部材１２が配設され，前記揺動部材１２の摺動溝１２０には前記モータ３の回転軸と連動する摺動ブロック３２が移動可能に配設されていることを特徴とする請求項１に記載の動物形状を模した揺動可能な灯具。
【考案の詳細な説明】
【０００１】
【考案の属する技術分野】
本考案は、装飾用に使用される動物形状を模した揺動可能な灯具（発光体）に関するものである。
【０００２】
【従来の技術】
祭りや祝いの場所においては、装飾用に動物形状或いはキャラクタ人形を模した発光体としての灯具がよく使用されている。しかるに、一般的な灯具は単に店頭に固定された状態で設置されており、活動性がないため、装飾性に乏しい問題点がある。
【０００３】
【考案が解決しようとする課題】
したがって、本考案においては、動物形状を模した灯具を、支持部材を介して揺動可能に座体に支持すると共に、前記座体に支持された灯具をモータによって支持部材に配設した揺動部材を介して揺動することで、装飾性の優れた揺動可能な灯具を提供することを目的とするものである。
【０００４】
【課題を解決するための手段】
本願の請求項１の考案は、動物形状を模した灯具１と、該灯具を支持部材３０を介して揺動可能に支持する座体２と、前記座体２に支持された灯具１を揺動部材１２を介して揺動するモータ３とを備えたことを特徴とする。
【０００５】
請求項２の考案は、請求項１に記載の動物形状を模した揺動可能な灯具において、前記座体２の上端に連結される支持部材３０には、前記灯具１を支持する支持リング１１が設けられると共に、一端が前記モータ３の回転軸と連結され、他端が前記灯具１の活動点と連接するように配設された揺動部材を備えていることを特徴とする。
【０００６】
請求項３の考案は、請求項１に記載の動物形状を模した揺動可能な灯具において、前記座体２の上端に連結される支持部材３０には、前記灯具１を取付ける取付パイプ１１０が設けられると共に、上端部が前記取付パイプ１１０に固着された摺動溝１２０を有する楕円リング形状の揺動部材１２が配設され，前記揺動部材１２の摺動溝１２０には前記モータ３の回転軸と連動する摺動ブロック３２が移動可能に配設されていることを特徴とする。
【０００７】
【作用】
本考案は上記の課題を解決するものであり、動物形状を模した灯具を、支持部材を介して揺動可能に座体に支持すると共に、前記座体に支持された灯具をモータによって揺動部材を介して揺動することができるので、装飾性の優れた揺動可能な灯具を提供できる。
【０００８】
以下、添付図面を参照して本考案の好適な実施の形態を詳細に説明する。勿論、下記実施例は、本考案の好適な実施の形態を示したものにすぎず、本考案の技術的範囲は、下記実施例そのものに何ら限定されるものではない。
【０００９】
【考案の実施の形態】
図１は考案に係わる動物形状を模した揺動可能な灯具の第一実施例を示す斜視図であり、図２は本考案に係わる動物形状を模した揺動可能な灯具の第一実施例における支持部材の一部分解斜視図であり、図３上記第一実施例における支持部材のモータとの連結部を示す要部斜視図であり、図４は本考案に係わる動物形状を模した揺動可能な灯具の第二実施例における支持部材の揺動部材を示す斜視図であり、図５は本考案に係わる動物形状を模した揺動可能な灯具の第三実施例を示す斜視図であり、図６は本考案に係わる動物形状を模した揺動可能な灯具の第四実施例を示す斜視図であり、図７は本考案に係わる動物形状を模した揺動可能な灯具の第五実施例を示す斜視図である。
【００１０】
図１乃至図３に示すように、本考案に係わる動物形状を模した揺動可能な灯具１は、光透過性を有する管状体の内部に光ファイバー等が配設されてなる柔軟性を有す発光体で構成されているおり、柔軟性を利用して全体を動物形状に模して灯具１としたものである。なお、灯具１は、ガラス管を折り曲げて全体を内部中空の動物形状に形成し、管内部に発光ガスを注入し、両端部に電極を配設した構成のものであっても良い。
【００１１】
前記灯具１は、パイプを組み合わせて構成した座体２に支持されるようになっている。前記座体２は、ほぼ三角形状に配設した底部外フレーム２００と、底部内フレーム２０２とからなり、底部内フレーム２０２の軸線上の断裂中央部には結合部品２０３を介して軸線を一致させて連接された連接パイプ２０１が配設されている。この連接パイプ２０１には所定間隔で離間した上方に立ち上げた一対の連結部材２０４が設けられており、各連結部材２０４は一端２０７が前記底部外フレーム２００に固着され、且つ他端２０５が連結パイプ２０４の上端部に固着された補強パイプ２０６によって補強されている。
【００１２】
符号３０は、前記灯具１の底部に係合して、前記座体２を支持するための支持部材で、この支持部材３０は、下方に前記連結部材２０４と嵌合連結する一対のパイプ状の脚部２０８を有し、上方には前記灯具１の重心点である底部１ａが支持される支持リング１１が設けられ、さらに中央部には前記灯具１を揺動させるパイプ材２１０からなる揺動部材１２を揺動させるモータ３が配設されている。
【００１３】
前記モータ３は回転軸（符号なし）及び回転軸と連接する伝動ロッド３ａを有し、伝動ロッド３１の端部に前記揺動部材１２の一端部が回動可能に枢支される連結パイプ２０９が設けられ、係止ピン５によって抜け止めがなされている。また、前記揺動部材１２の他端部が灯具１の活動点１３に移動可能に枢設される。これにより、灯具１を座体２に活動可能に設けることができる。
【００１４】
前記モータ３を起動することによって、モータ回転軸に連結された伝動ロッド３ａが揺動部材１２を順次揺動することによって、灯具１はあたかも走っているように揺動する。
【００１５】
本考案に係わる動物形状を模した揺動可能な灯具１を収納する場合、揺動部材１２を伝動ロッド３１及び灯具１と分離させると共に、支持部材３０と連結部材２０４、および連結部材２０４と底部内フレーム２０２との結合を離間させることにより、座体２の全体体積を縮減することができる。
【００１６】
図４に示すように、本考案に係わる動物形状を模した揺動可能な灯具１の第一実施例は他の揺動部材によって揺動することができる。この場合において、座体２の支持部材３０にモータ３’が設けられ、このモータ３’の回転軸（符号なし）に一端に摺動ブロック３２を有する伝動ロッド３１が設けられ、その摺動ブロック３２の外側に上端を取付パイプ１１０と連接する楕円リング形状の揺動部材１２が設けられる。モータ３’を起動した場合、伝動ロッド３１の摺動ブロック３２が揺動部材１２における摺動溝１２０に摺動することにより、取付パイプ１１０を揺動すると、灯具１はあたかも走るように揺動する。
【００１７】
図５に示すように、本考案に係わる動物形状を模した揺動可能な灯具１００の第三実施例は、鹿の形を有する殻体１０１を有し、この殻体１０１が座体２における支持端１１’に設けられ、第一実施例のように、モータ３によって殻体１０１における活動点１３’を介して灯具１００を揺動する。
【００１８】
図６に示すように、本考案に係わる動物形状を模した揺動可能な灯具１００１の第四実施例は、サンタクロースがトナカイの上に乗った形状を有し、この灯具１００１が座体２における支持端１１”に設けられ、第一及び第三実施例のように、モータ３によって殻体における活動点１３”を介して灯具１００１を揺動する。
【００１９】
図７に示すように、本考案に係わる動物形状を模した揺動可能な灯具１００２の第五実施例は、イルカの形状を有し、この灯具１００２が座体２における取付パイプ１１０に設けられ、第二実施例のように、モータ３’によって摺動リング１２を介して灯具１００２を揺動する。
【００２０】
本考案に係わる動物形状を模した揺動可能な灯具によれば、動物形状の灯具の揺動があたかも自然のように活動し、優れた灯具の活動効果を達成でき、祭りや祝いの場所での楽しい雰囲気を更に向上することができる。
【００２１】
【考案の効果】
本考案は、動物形状を模した灯具を、支持部材を介して揺動可能に座体に支持すると共に、前記座体に支持された灯具をモータによって駆動部材を介して揺動することで、装飾性の優れた揺動可能な灯具を提供することができる。そして、これを使用することで、祭りや祝い事の場所の雰囲気をなおいっそう楽しくさせることができるものである。
【図面の簡単な説明】
【図１】本考案に係わる動物形状を模した揺動可能な灯具の第一実施例を示す斜視図である。
【図２】本考案に係わる動物形状を模した揺動可能な灯具の第一実施例における支持部材の一部分解斜視図である。
【図３】本考案に係わる動物形状を模した揺動可能な灯具の第一実施例における枢接パイプを示す斜視図である。
【図４】本考案に係わる動物形状を模した揺動可能な灯具の第二実施例における駆動部材を示す斜視図である。
【図５】本考案に係わる動物形状を模した揺動可能な灯具の第三実施例を示す斜視図である。
【図６】本考案に係わる動物形状を模した揺動可能な灯具の第四実施例を示す斜視図である。
【図７】本考案に係わる動物形状を模した揺動可能な灯具の第五実施例を示す斜視図である。
【符号の説明】
１　　　　　灯具（発光体）
１００　　　灯具（発光体）
１００１　　灯具（発光体）
１００２　　灯具（発光体）
１１　　　　支持リング
１１’　　　　　　支持端
１１”　　　支持端
１１０　　　取付パイプ
１２　　　　揺動部材
１２０　　　摺動溝
１３　　　　活動点
１３’　　　　　　　活動点
２　　　　　座体
２００　　　底部外フレーム
２０１　　　連接パイプ
２０２　　　底部内フレーム
２０３　　　結合部品
２０４　　　連結部材
２０５　　　端部
２０６　　　補強パイプ
２０７　　　端部
２０８　　　脚部
２０９　　　連結パイプ
２１０　　　パイプ材
３　　　　　モータ
３１　　　　伝動ロッド
３２　　　　摺動ブロック
５　　　　　係止ピン
【図１】
0003097860.tif 000003
【図２】
0003097860.tif 000004
【図３】
0003097860.tif 000005
【図４】
0003097860.tif 000006
【図５】
0003097860.tif 000007
【図６】
0003097860.tif 000008
【図７】
0003097860.tif 000009